(57)【特許請求の範囲】
【請求項１】
マルチフィラメントヤーンのフィラメントが、該フィラメントが通過するヤーン通路において、該通路に開口している送風ノズルの開口部断面から流出する媒体流によってインターレース可能であるようになっており、
送風ノズルの開口部断面が、ヤーン通路の縦軸に対して基本的に対称的に形成されており、且つ、前記媒体流が主流および二つの対になった副流に配分され、主流がヤーン通路の中央領域に、一方の副流がヤーン通路の一方の縁部領域に、そして他方の副流がヤーン通路の他方の縁部領域に流入するようになっている、
マルチフィラメントヤーンをインターレースさせるための装置において、
主流（Ｈ）および副流（Ｎ）が、主流および副流の方向が交叉しないように基本的に同一方向に向けられていることを特徴とする装置。
【請求項２】
前記媒体流が、送風ノズル（３５；３７）の開口部断面によって主流（Ｈ）および対の副流（Ｎ）に配分されていることを特徴とする、請求項1によるインターレース装置。
【請求項３】
主流（Ｈ）が、双方の副流（Ｎ）のいずれに比較しても大きな媒体の流量を有することを特徴とする、請求項1または２のいずれか一によるインターレース装置。
【請求項４】
副流（Ｎ）のための開口部断面が主流（Ｈ）のための開口部断面から切り離されていることを特徴とする、請求項1から３のいずれか一によるインターレース装置。
【請求項５】
フィラメントの走行方向に見て、主流（Ｈ）が副流（Ｎ）の後に配置されていることを特徴とする、請求項1から４のいずれか一によるインターレース装置。
【請求項６】
フィラメントの走行方向に見て、副流（Ｎ）が主流（Ｈ）の後に配置されていることを特徴とする、請求項１から４のいずれか一によるインターレース装置。
【請求項７】
主流（Ｈ）が複数の部分流から形成されていることを特徴とする、請求項1から６のいずれか一によるインターレース装置。
【請求項８】
副流（Ｎ）が、ヤーン通路カバー（２５）の下方をヤーン通路（１３）の外側まで延びていることを特徴とする、請求項1から７のいずれか一によるインターレース装置。
【請求項９】
開口部断面が、ヤーン通路の縦方向中心軸（２６）と直角を形成する横軸（４１）に対して基本的に対称的に形成されていることを特徴とする、請求項1から８のいずれか一によるインターレース装置。
【請求項１０】
開口部断面が、前記横軸（４１）に対して対称的に形成されていることを特徴とする、請求項1から８のいずれか一によるインターレース装置。
【請求項１１】
開口部断面がＹ字形（３７ｈ；…；３７ｏ；３７／２）に形成されていることを特徴とする、請求項1から１０のいずれか一によるインターレース装置。
【請求項１２】
開口部断面が、十字形（３７ａ）に形成されていることを特徴とする、請求項1から１０のいずれか一によるインターレース装置。
【請求項１３】
開口部断面が、三角形（３７ｄ；…；３７ｆ）に形成されていることを特徴とする、請求項1から１０のいずれか一によるインターレース装置。
【請求項１４】
開口部断面が、Ｔ字形（３７ｇ）に形成されていることを特徴とする、請求項1から１０のいずれか一によるインターレース装置。
【請求項１５】
開口部断面が、Ｘ字形（３７ｃ）に形成されていることを特徴とする、請求項1から１０のいずれか一によるインターレース装置。
【請求項１６】
送風ノズル（３７ａ；３７ｂ；……；３７ｇ；３７／１；３７／２；３７／３）が、ヤーン通路の縦方向中心軸（２６）に対して６０°≦δ≦９０°の範囲内に存在する角度δだけ傾むけられていることを特徴とする、請求項1から１５のいずれか一によるインターレース装置。
【請求項１７】
送風ノズル（３７ａ；３７ｂ；……；３７ｇ；３７／１；３７／２；３７／３）が、ヤーン通路の縦方向中心軸（２６）に対してδ≦６０°の角度だけ傾むけられていることを特徴とする、請求項1から１５のいずれか一によるインターレース装置。
【請求項１８】
少なくとも１本のマルチフィラメントヤーンのフィラメントを、該フィラメントが通過するヤーン通路内で媒体流によってインターレースさせる方法であって、
前記媒体流を主流および対になった副流に配分し、
主流をヤーン通路の中央領域に、そして一方の副流をヤーン通路の一方の縁部領域に、そしてまた他方の副流を他方の縁部領域内に導入し、かつ、
主流および副流を、主流および副流の方向が交叉しないように基本的に同一方向に向けることを特徴とする方法。
【請求項１９】
主流（Ｈ）が、双方の副流（Ｎ）のいずれと比較しても大きな媒体の流量を有することを特徴とする、請求項1８による方法。
【請求項２０】
インターレース運動が行われる中央領域（２９）の幅が主流（Ｈ）によって規定されることを特徴とする、請求項1８による方法。
【請求項２１】
縁部領域（３３）内にフィラメントが存在する時間が短縮されてインターレースされていない無手当てのヤーン箇所の長さが短縮されるように、主流（Ｈ）に対する副流（Ｎ）の流量が定められることを特徴とする、請求項1８から２０のいずれか一による方法。
【請求項２２】
副流（Ｎ）が局部的に主流（Ｈ）から分離されて、インターレースされるべきフィラメントヤーンに対して作用を及ぼすことを特徴とする、請求項1８から２１のいずれか一による方法。
【請求項２３】
対の副流（Ｎ）が、基本的に主流（Ｈ）の手前でフィラメントヤーンに作用を及ぼすことを特徴とする、請求項２２による方法。
【発明の詳細な説明】
【０００１】
本発明は、マルチフィラメントヤーンをインターレースさせるインターレース装置と、少なくとも１本のマルチフィラメントヤーンをインターレースさせるための方法に関する。
【０００２】
ここに記述されている種類のインターレース装置および方法は、ドイツ特許第３７１１７５９号明細書から公知である。この装置および方法は、マルチフィラメントヤーンのフィラメントの纏まり、およびそれゆえそのさらなる加工の可能性を改善するために使用されるものである。何故ならば、個々のマルチフィラメントヤーンは、それがインターレース装置に供給されるときは、未だ撚られていないか、或いはさらなる加工のために、とりわけ熱可塑性材料またはその他の材料から成るフィラメントの十分なまとまりが生じないような、ほんのわずかな保護撚りしかなされていないからである。マルチフィラメントヤーンは、そのフィラメントのインターレースによって初めて必要なまとまりが得られる。インターレース装置を使用することによって、複数のマルチフィラメントヤーンのフィラメントも、共に１本のマルチフィラメントヤーンに撚ることが出来るのである。
【０００３】
インターレース品質／インターレース結果は、インターレース点、すなわちフィラメントの乱れ／絡み合い、および基本的にインターレースされていない無手当てのヤーン個所が存在する、インターレース点の間に存在する中間的空間によって特徴付けられている。さらに、マルチフィラメントヤーンをインターレースさせる場合には、極めて弱いインターレースも生ずることがあり、その場合にはインターレース点は生ずることがなく、軽度のほとんど眼に見えないフィラメントの乱れが生ずる。このようなヤーンは、わずかなヤーン締りしか示さず、追加的な高い費用を要する処置方法、例えば撚りの付与／撚り合わせ、または糊付けなどを行わずには、さらなる加工が出来ないか、或いは出来たとしても限られた範囲でしか出来ない。「ヤーン締り」とは、マルチフィラメントヤーンの集約性を意味する通常の呼称であり、フィラメントのまとまり或いは結節を意味する。
【０００４】
公知のインターレース装置は、多数のフィラメントを含むマルチフィラメントヤーンが通されるヤーン通路を備えている。この場合には、フィラメントは、送風ノズルの開口部断面から流出する圧縮空気流によってインターレースされる。送風ノズルは、通常はヤーン通路の縦方向中心軸に対して対称的に形成された、円形または楕円形の開口部断面を備えている。このインターレース装置は、マルチフィラメントヤーンのフィラメントのインターレースが、あらゆる場合において望み通りのインターレース結果をもたらさないという欠点を持っている。このマルチフィラメントヤーンは、不揃いであり、一部には比較的長い欠陥箇所、すなわちインターレースがなされていないヤーン部分を有するが、これは、マルチフィラメントヤーンの、例えば織成、編上げ、メリヤス編み、縫成などの再加工を行う場合に、これらのヤーンの、無手当ての保護されていない箇所が損傷を受けるという結果をもたらす。個々のフィラメントは折れたり、巻き上げられたりし、これによって繊維破壊または周辺繊維の破壊、および／または織物の平面形成に欠陥を生ずる。
【０００５】
従って、本発明の課題は、現行技術のこれらの欠陥を回避し、インターレースされたヤーンの品質を改善し、結節時間はもとより、ヤーンの無手当ての箇所をも均準化することを可能にする装置および方法を創出することである。それに加えて、インターレース装置を簡単な構成にし、所要空気量の点で経済的に作動させることである。この課題は請求項１の特徴によって解決される。
【０００６】
成る程、インターレースノズルにおいて、反対方向または互いに直角にヤーン通路内に収められ、そこで互いに遭遇する主噴出流および拍動する副噴出流とを使用することは、ドイツ特許第２８１３３６８号明細書によってすでに公知である。しかしながら、この方法は意図された結果をもたらさず、それゆえに実際面では目的を達成することが出来ない。
【０００７】
さらにまた、開口部断面がヤーン通路の縦軸に対して基本的に対称的に形成された送風ノズルを使用してヤーン通路内に主空気流を注入することは、ドイツ特許出願公開第４１１３９２７号公報によって公知である。さらに対の副流が備えられ、一方の副流がヤーン通路の一方の縁部領域内に、そして他方の副流がヤーン通路の他方の縁部領域内に流入するようになっている。この場合にも、副流が主流に対してヤーン通路の反対側からもたらされる。副空気流のための空気供給に取り外し可能なカバーを必要とするので、これを実施する費用が高くなることは別にしても、驚くべきことに、この発明によって提案された解決によれば、主流および副流が基本的に同一の方向に流れ、現行技術のように互いに反対方向には流れないことが判明した。これにより主空気流の障害が生ずることは明らかであり、このことは空気消費量の上昇とインターレース結果の悪化をもたらすものである。
【０００８】
成る程、スイス特許第４１５９３９号明細書により、媒体配管に円形の断面、或いは方形、楕円形などのような、その他のいかなる適当な形状を与えることも公知である。しかしながら、本発明において重要なのは、ノズル通路開口部であって、その形状は、媒体、とりわけ圧縮空気が、主流の形態でヤーン通路の中央領域に、そして対の副流の形態でヤーン通路の縁部領域に流入することを目指している。このような考え方は、たとえ暗示といえども、このスイス特許からは導き出せないのである。
【０００９】
主流および副流が基本的に同一方向に向けられていることによって、主流は中央領域において、基本的により強くヤーンに対して作用することが出来る。ヤーン通路内に流入する主流は、フィラメントのインターレースを引き起こす二つの、少なくとも基本的に同じ強度の部分流インターレース運動に分割される。ヤーン通路のそれぞれ一方の縁部領域に流入する副流は、驚くべき方法で同一方向性によってインターレース運動を支援し、そしてフィラメントが、実際上インターレースが生ずることのない縁部領域（死点領域）に短時間しか存在せず、常に主空気流に曝されるように配慮する。これによって、ヤーンのインターレースされない無手当ての箇所の数が低減され、その欠陥箇所の長さが短縮されるのである。とりわけ変動のない優れたインターレース結果を生ずる主流と副流の有利な協力作用によって、媒体消費量、およびそれゆえインターレース運動の費用を節減することが出来る。さらに生産速度、すなわちフィラメントの走行速度の上昇と、インターレース装置の経済性の向上が、満足なインターレース品質のもとで与えられるのである。
【００１０】
媒体流の「配分」とは、主流と副流が実質的に分離される必要がないものと解するものとする。主流と副流への配分は、ノズルの断面の形状によって行うことが出来る。双方の副流のいずれと比較しても、主流がそれぞれ媒体の最大の流量をもたらすようなやり方で、主流と副流を調整することによって、上記のインターレースの作用が強化される。何故ならば、余りに強い副流は、主流に対して害をもたらすことがあり得るからである。
【００１１】
今一つの実施形態によれば、副流の開口部断面は、主流の開口部断面から切り離されている。従って媒体流は、少なくともヤーン通路内に流入する際に互いに距離を隔てた、複数の別個の部分流に配分される。換言するならば、ノズル配置は、第一の実施形態によれば単に１個の送風ノズルを有するに過ぎないが、第二の実施形態によれば少なくとも２個の送風ノズルを有しており、これらのノズルが媒体流の部分流の実質的な分割をもたらすのである。
【００１２】
インターレース装置の有利な実施例の一例では、開口部断面は１個の送風ノズルから形成されている。これによって、一方においては開口部断面の製造が、そして他方においては送風ノズルに存在する圧力下にある媒体、とりわけ圧縮空気を供給する形の媒体供給が、簡単に実現可能なのである。
【００１３】
しかし、開口部断面が、媒体流のそれぞれ一つの部分流が流出する、複数の、とりわけ２個または３個の送風ノズルによって形成されることが必要なこともあり得る。これによって、噴出空気圧力が異なる場合でも、主流と副流の相互の配置についても、ヤーン通路の中央領域或いは縁部領域への、その目標とする流入についても、比較的大きな弾力性と独立性が与えられるのである。
【００１４】
さらにフィラメントの走行方向に見て、主流が副流の後に配置されているインターレース装置の実施例は有利である。縁部領域に流入する副流は、ヤーン通路を通って案内されるフィラメントを捕らえて、これをヤーン通路の中央領域内に搬送し、続いてその中でフィラメントが主流によってインターレースされる。これによって、高い均一性を有する、分厚で且つ長いインターレース点／インターレース結節を形成することが出来る。これに対して、主流は、フィラメントの走行方向に見て、副流の前に配置されているときは、これによって一般に比較的短く、且つ比較的薄いインターレース点が形成され、同時に比較的高いインターレースサイクル数が達成されることが明らかである。これは、インターレース点が中間的な長さであり、且つまた中間的空間が中間的な長さである結果として生ずるものであり、１メートルごとのインターレース点の数を与えるものである。さらに、インターレースサイクル数は、マルチフィラメントヤーンそれ自体による以外に、なおもインターレースの際の繊維速度によっても、或いは調整された繊維張力によっても、そして平滑または波打たされているフィラメントの繊細度および構造によっても、影響される。
【００１５】
当該装置のさらなる形態は、その他の下位請求項から明らかなとおりである。
【００１６】
本発明の課題は、請求項１８に記載された特徴を有する方法によっても解決される。媒体流が基本的に同一方向に向けられた主流および対の副流に配分されることによって、ヤーン通路の中央領域において主流が強化された形で作用し、他方において、副流が、双方の縁部領域内の、このインターレースのためには効果的でない領域に留まり過ぎることが防止される。強力なインターレース点が発生し、欠陥箇所の発生が回避される。このように、本発明による主流と副流の協力作用によって、わずかな媒体消費量で高いインターレース品質が達成される。
【００１７】
以下、図面をもととして本発明をさらに詳細に説明すれば、次の通りである。
【００１８】
以下に記述されるインターレース装置は、一般にマルチフィラメントヤーンをインターレースさせるために使用可能である。マルチフィラメントヤーンなる用語は、本発明との関連においては、平滑なマルチフィラメントヤーンであるのみならず、波打つマルチフィラメントヤーンであるとも解されるものとする。波打つマルチフィラメントヤーンは、例えば不正確なヤーン引張、圧縮チャンバー、および縁部引張などの織成によって生成される。マルチフィラメントヤーンは、とりわけ熱可塑性の合成樹脂、例えばポリアミド、ポリエステル、ポリプロピレン、ポリエチレンなどのから成り、且つまたビスコース繊維、ガラス繊維、炭素繊維、またはその他の高モジュール繊維から成る、多数のフィラメントから構成される。
【００１９】
インターレース装置を使用することによって、複数のマルチフィラメントヤーンのフィラメントを、一緒にインターレースさせて１本のマルチフィラメントヤーンにすることも可能である。さらに、飾り糸も製造することが出来、また繊維ヤーンまたは弾性プラスチックヤーンとのマルチフィラメントヤーンの混和も可能である。
【００２０】
インターレース装置は、例えば特定織物機械、またはその他の機械または装置、例えば紡績機、引張撚り機（ドローツィスター）または巻き取り機にも、これを使用することが出来る。インターレース装置によってインターレースされたマルチフィラメントヤーンは、織物の表面形状を造出するために、動力織機、メリヤス織機、編物機械、タフト機および類似の機械でさらに加工され、必要な繊維の纏まりを生ずるために、後回転、ツイスト、糊付などのような、無理にマルチフィラメントヤーンの後処理を行うことを必要としない。
【００２１】
図１は、複数の、この場合には合計２個のケーシング部分５および２５を具備したケーシング３を包含するインターレース装置１の一実施例の概略側面図を示すものである。第二のケーシング部分２５は、ヒンジ９を使用して旋回アーム７上を回転可能に第一のケーシング部分５に連結され、それゆえに一つのカバーを形成する。第二のケーシング部分２５に取付けられた取っ手１１を使用して、第二のケーシング部分２５は、実線で記載されたその閉鎖位置から、図１において破線で示された開放位置へ跳ね上げ可能である。
【００２２】
インターレース装置１は、さらにケーシング部分５、２５から形成される、ケーシング３を貫通する真っ直ぐのヤーン通路１３を含んでいる。第二のケーシング部分２５がその閉鎖位置に存在するときは、図面に記載されていない送風ノズル配置の開口部断面は例外として、ヤーン通路１３は周囲側で閉鎖されており、その入口開口部および出口開口部においてのみ開かれている。図１に記載されていないマルチフィラメントヤーンをヤーン通路１３に装入し、或いはこれを取り出すことが出来るように、第二のケーシング部分２５が跳ね上げられ、その結果、ヤーン通路１３がその全長において露出される。送風ノズル配置は、供給配管１４を介して媒体供給装置に接続されており、これによって送風ノズル配置は圧力下に存在する媒体、とりわけ空気で負荷可能となる。マルチフィラメントヤーンは、真っ直ぐのヤーン通路１３を通過する際に、そのフィラメントを相互にインターレースさせる媒体流によって負荷を受けるが、これについては図２から２３をもととして、以下において詳細に説明する。
【００２３】
第二のケーシング部分２５には、剛性のサポートとして使用されるＵ字形の湾曲棒１５が取付けられていて、これに、図１ではアーム１７としてしか識別可能でないが、その角度を付されたアームには、それぞれ１個のヤーンガイド１９が取り付けられている。これらは、垂直方向に見て、下方に開いたＵ字形の湾曲棒によって形成され、これがその下方に開かれた内部空間の上方縁部に、マルチフィラメントヤーンを方向転換させるための案内面２１を備えている。
【００２４】
この実施例の場合には、ヤーン通路１３は、その全長に亘って一定の半円状の内法断面を備えた、１個の溝／側溝の形状をした第一のケーシング部分５の中に嵌め込まれている。ヤーン通路１３のカバー２３は、旋回軸７に固定された第二のケーシング部分２５の平滑な下側から形成されている。しかし、ヤーン通路１３の断面形状は、別の形状に形成することも出来る。
【００２５】
図２は、内部にヤーン通路１３が嵌め込まれている、インターレース装置１の第一のケーシング部分５の概略の平面図を示す。ヤーン通路１３は、その縦方向中心軸２６から出発して、フィラメントの走行方向に対して横に見て、想定される線影を付された二つの領域、すなわち中央領域２９と、ヤーン通路１３の縁部と中央領域２９との間に存在する外側の縁部領域３３とに区分けされている。縁部領域３３は、死点領域としても示されている。
【００２６】
望み通りのインターレース結果を達成するために、図２に記載された送風ノズル配置の開口部断面３７は、ヤーン通路１３内に流入する媒体流が１本の主流と二つの副流に分割されるように形成される。主流Ｈは、中間の中央領域２９に流入し、ケーシング部分或いはカバー２５の下側に衝突することによって、異なる回転方向（図２３）を有する二つの部分流回転運動に分割され、これがマルチフィラメントヤーンのフィラメントの、任意の局部的な捻じ曲げ／絡み合いをもたらす。発生したフィラメントの捻じ曲げは、例えば編み縄模様或いは辮髪模様のような、異なる局部的な模様を有することが出来る。フィラメントの本来のインターレースには実際上寄与しない、双方の副流Ｎは、それぞれ一方の縁部領域３３に流入し、縁部領域３３に案内されたフィラメントをヤーン通路１３の中央領域２９に案内し、そこでフィラメントが主流Ｈによって捕らえられ、インターレースがなされる。これによって、縁部領域３３内のフィラメントがヤーン通路１３を通じて導かれる時間の長さが節減され、その結果、インターレース処理がなされていない無手当てのヤーン箇所の発生が回避され、或いは少なくともこれが減少せしめられる。媒体流によるフィラメントのインターレースによって、原則としてマルチフィラメントヤーンへの構造付与が行われる。すなわちインターレースによって、マルチフィラメントヤーンが見た目にも変更されるのである。これらの媒体流によって生ずる効果、例えばインターレース点、およびマルチフィラメントヤーンの個々のフィラメントによって形成される絡み合いは、本発明による媒体流の複数の部分流への配分によって決定的に影響を与えることが出来、且つこれによって形成することが出来るのである。
【００２７】
以下において、図３から１５までをもととして、送風ノズル配置の第一の実施形態の詳細を説明する。ここでは、開口部断面は唯一の送風ノズル３７によって形成されている。図３から１５は、それぞれ垂直にヤーン通路１３内に開口する送風ノズル３７の実施例の平面図を示す。図面に記載されていないマルチフィラメントヤーンは、矢印２７の方向に、それゆえ図３から１５の記載によれば、右から左の方向に、ヤーン通路１３を通過する。
【００２８】
図３は、開口部断面がヤーン通路１３の縦方向中心軸２６と、縦方向中心軸２６と直角、それゆえ９０°の角度を構成する横軸４１に対して、それぞれ対称的に形成されている送風ノズル３７ａを示す。縦方向中心軸２６とこれに対して直角に交わる横軸４１との間の交点は、ヤーン通路１３の縦方向中心軸２６に対して横に見て、ヤーン通路１３の中央、或いは図面に記載されていない他の実施例の一によれば、ヤーン通路１３のほぼ中央に存在する。本発明との関連で、送風ノズル配置の開口部断面の対称的性に関して記載がなされるときは、それぞれの開口部断面に対する垂直の視線方向、すなわちヤーン通路１３内に口を開く送風ノズル３７の軸の縦方向延長の方向への視線方向を前提とするものである。それゆえ対称的の記述は、送風ノズル配置の開口部断面の平面図の場合だけである。送風ノズル３７ａの開口部断面は、基本的に十字形に形成されている。想定される十文字の一方の腕木は、縦方向中心軸２６上に存在し、想定される他方の腕木は横軸４１上に存在する。想定される腕木の接続領域は、ヤーン通路１３の縁部領域３３まで延びている送風ノズル３７ａの部分開口部断面が、中心領域２９に存在する送風ノズル３７ａの部分開口部断面よりも小さくなるように、丸められている。
【００２９】
マルチフィラメントヤーンの走行方向に対して横に見て、異なる寸法の部分開口部断面によって、開口部断面を通ってヤーン通路１３内に流入する媒体流は、主流Ｈと、一対の副流Ｎに分割される。
【００３０】
図３から明らかなように、主流Ｈは中心領域を限定する。主流Ｈのための断面は、副流Ｎの各々に比較して、主流Ｈが常に大きな媒体の流量を通すように選定されている。上記の通り、そしてまた図２３に詳細を示したように、主流Ｈは、ヤーン通路１３と境界をなすカバー２５の下側に衝突し、これによって二つの部分流インターレース運動が生じ、これがマルチフィラメントヤーンのフィラメントをインターレースさせる。ヤーン通路１３の縁部領域３３に流入する副流Ｎは、インターレースによって縁部領域に導かれたフィラメントが、出来るだけ速く再び中心領域２９に到達するように配慮する。これによって、フィラメントが、実際上何らのインターレース運動も生じない縁部領域に存在する時間の長さが短縮される。インターレースされていない無手当てのヤーン箇所の数が低減され、この欠陥箇所の長さが短縮されることによって、極めて良好なインターレース結果が達成される。
【００３１】
図４は、開口部の断面が基本的にＶ字形であり、Ｖ字形の腕木或いはアームの間に主流Ｈの補強部６１が設けられている送風ノズル３７ｂを示す。これによってＶ字形部分は、３角形部分とともに開口部断面を形成する、本質的にＷ字形に変更される。この場合、Ｖ字形、或いはＷ字形のアームは、ヤーン通路１３の縁部領域３３の中にまで達している。
【００３２】
図５は、基本的に十字形、或いはＸ字形の開口部断面を有する送風ノズル３７ｃを示す。ここに存在するＸは、ヤーン通路１３の縦方向中心軸２６上に存在する中央噴射部４５を有しているが、これは主流Ｈを導くものであって、副流Ｎを導く縁部領域３３に突出する横方向腕木４７および４９よりも幅広である。送風ノズル３７ｃは、縦方向中心軸２６および横軸４１に対して対称的に形成されている。十字形開口部断面の横方向腕木４７および４９から流出する副流は、それぞれ開口部断面の中央領域、それゆえ中央噴射部４５によって形成される部分開口部断面から流出する主流よりも小さな流量を持っている。ヤーン通路を通るヤーンの走行方向は、矢印２７によって示すとおりである。このことから、横方向腕木４７および４９の末端を通って導かれる副流が、主流に先行することが明らかである。同時に横軸４１に対して鏡像状に配置された横方向腕木４７‘および４９’の末端が、後続する対の副流を発生させる。この配置によって、主流による最小の影響のもとで、縁部領域３３からのフィラメント繊維の極めて良好な逆輸送が行われ、これによって、インターレース結節の極めて良好且つ均一な品質が生ずる。
【００３３】
図６に記載された送風ノズル３７ｄは、三角形の開口部断面を有しており、この場合には、二等辺三角形の二辺によって形成される尖端部５１が、ヤーン通路１３の縦方向中心軸２６上に存在するように、ヤーン通路１３内に配置されている。送風ノズル３７ｄは、縦方向中心軸２６に対して、対称的に形成されている。矢印２７の方向にヤーン通路１３を通って案内されるマルチフィラメントヤーンは、まず開口部断面の尖端部５１の領域に流出する、ますます大きくなる主流Ｈに出会い、次いで三角形の開口部断面の尖端部５１′および５１″の領域から流出する副流によって捕らえられる。副流Ｎがさらにヤーン通路１３の縁部領域３３に到達するときは、さらに高いインターレースサイクル数が実現可能であることが明らかになっている。この、さらに高いインターレースサイクル数は、インターレース点が、送風ノズルによって発生されるインターレース点よりも短くなることによって成立するのであって、この場合には、副流Ｎを発生させる開口部断面の部分の縁部領域への延びが少ないのである。
【００３４】
図７に記載されている送風ノズル３７ｅも、三角形の開口部断面を有しているが、その縦方向中心軸２６上に存在し、且つ幅広の等辺の三角形の二辺によって形成される尖端部５３は、マルチフィラメントヤーンの走行方向に（矢印２７）に見て、送風ノズル３７ｅの開口部断面の中央領域から流出する主流の後に配置されている。それゆえ、マルチフィラメントヤーンは、まず三角形の幅広の底辺を介して導かれる。これによって、図６に記載された送風ノズル３７ｄの配置に較べてさらに長いインターレース結節により、フィラメントのさらに集中的且つ均一なインターレースが達成される。送風ノズル３７ｅの開口部断面も、本発明による他のあらゆる送風ノズルの実施例の場合と同様に、縦方向中心軸２６に対して対称的に形成されている。
【００３５】
図８は、三角形の開口部断面を有する送風ノズル３７ｆを示しており、その三角形は二等辺ではあるが、図６および７に記載された三角形に較べて極めて小さい。これにより、送風ノズル３７ｆの開口部断面の中心は、とりわけヤーン通路１３の縁部領域３３に突入する形の開口部断面の縁部ゾーンと比較して、極めて際立っている。これによって、副流対と比較して、強い主流が発生されるのである。二等辺三角形の二辺によって形成される尖端部５５は、ヤーン通路１３を通して導かれるマルチフィラメントヤーンが、まず主流によって捕らえられ、しかし、同時に二等辺三角形の底辺によって形成された部分開口部断面の領域内で、ヤーン通路１３の縁部領域３３に流入する対の副流も実効があるように、縦方向中心軸２６上に存在する。
【００３６】
図９は、Ｔ字形の開口部断面を有する送風ノズル３７ｇを示しており、Ｔ字の横方向腕木５７によって形成された部分開口部断面は、マルチフィラメントヤーンの走行方向（矢印２７）に見て、Ｔ字の縦方向腕木５９によって形成された部分開口部断面の前方に配置されている。縦方向腕木５９よりも小さな寸法の横方向腕木５７は、ヤーン通路１３の縁部領域３３まで延びている。それゆえ、近づいてくるマルチフィラメントヤーンは、まず主流と副流が作用するＴ字形の開口部断面の「幅広の」側に到達する。このことは、さらに均一なインターレースが行われるように作用する。何故ならば、同時に副流対によって、死点領域３３へのマルチフィラメントヤーンの逃避が防止されるからである。
【００３７】
図１０は、開口部断面がＹ字形である送風ノズル３７ｈを示しており、Ｙ字の基本的にＶ字形の部分は、マルチフィラメントヤーンの走行方向（矢印２７）に見て、真直ぐの腕木によって形成された部分の前に配置されている。Ｙ字のＶ字形部分の末端は、ヤーン通路１３の縁部領域３３に十分に達している。これによって、ヤーン通路１３を通して導かれるマルチフィラメントヤーンのフィラメントが、送風ノズル３７ｈの開口部断面のＶ字形部分から流出する副流によって、まず捕らえられ、そしてヤーン通路１３の中央領域２９に導かれる。次いでフィラメントが、Ｙ字形に形成された送風ノズル３７ｈの開口部断面の縦方向腕木から流れ出る主流によって捕らえられ、且つインターレースされる。開口部断面をＹ字形に形成することによって、主流は、送風ノズル３７ｇの場合よりも副流によって邪魔されることが少なく、直ちに完全な効果を発揮する。
【００３８】
図１１に記載されている送風ノズル３７ｉは、開口部断面のＹ字形が変形されているという点でのみ、図１０に記載されている送風ノズル３７ｈと異なる。同じくＶ字を形成するＹ字の双方の腕木は、比較的傾斜した延びを有し、その結果として、これらの腕木は、図１０に記載されているＹ字形開口部断面の腕木よりも、それ程深くは、ヤーン通路１３の縁部領域３３内に延びていないのである。
【００３９】
図１２は、Ｙ字の第三の実施例から導き出される開口部断面を備えた送風ノズル３７ｋを示す。縦方向中心軸２６に対して対称的に形成されたＹ字の縦方向腕木は、図１０および１１に記載されたＹ字形よりも幅広である。さらに、縦方向腕木の自由な末端が、相対的に短く、且つまたくさび状に形成されている。
【００４０】
図１３に記載されている送風ノズル３７ｌは、１個の楕円と、Ｖ字を形成する２個の腕木から導き出される、魚形の開口部断面を有する。双方の腕木は、ヤーン通路１３の縁部領域３３にまで延びているが、楕円は、その大きな半軸で、ヤーン通路１３の縦方向中心軸２６上に存在し、従って主流を形成する。
【００４１】
図１４は、弧を描くＶ字形の開口部断面を有する送風ノズル３７ｍを示す。「弧を描く」とは、Ｖ字の腕木が真直ぐでなく、湾曲を示すか、或いは曲げられていると解されるものとする。さらに送風ノズル３７ｍの開口部断面のすべての角部は丸められているか、または図面に記載されていない今一つの実施例による半径を持っている。開口部断面は、ヤーン通路１３の中央領域２９において広げられている。この実施形態の場合には、腕木が十分に縁部領域に突入しているので、フィラメントは迅速に死点領域から搬出される。
【００４２】
図１５に記載されている送風ノズル３７ｎは、ヤーン通路１３の縁部領域３３にまで突入する、基本的に、互いにＶ字形に整えられた二つのアームを有する三角形から導き出された開口部断面を備えている。
【００４３】
図１６から１９は、開口部断面が複数の、そしてこの場合には、それぞれ合計３個の送風ノズル３７／１、３７／２、３７／３によって形成される送風ノズル配置３５を備えた今一つの実施形態の開口部断面の、それぞれ一つの平面図を示す。これらの送風ノズルは、互いに距離を隔ててヤーン通路１３内に口を開いており、ともに送風ノズル配置３５の開口部断面を形成する、それぞれ１個の部分開口部断面を持っている。ヤーン通路１３内に流入する媒体流の主流が流出する送風ノズル３７／１の部分開口部断面は、媒体流の副流が流出する送風ノズル３７／２および３７／３の部分開口部断面よりも、それぞれ寸法が大である。送風ノズル配置の送風ノズルの数とは無関係に、いずれの実施例の場合にも、その開口部断面は、ヤーン通路１３内に口を開く送風ノズルの軸の方向において見た場合には、ヤーン通路１３の縦方向中心軸２６に対して対称的に形成されている。
【００４４】
図１６に記載されている送風ノズル３７／１から３７／３までの部分開口部断面は、いずれも円形に形成されている。ヤーン通路１３内に流入する媒体流の主流が流出する送風ノズル３７／１の中心は、縦方向中心軸２６と横軸４１との間の交点に存在する。ヤーン通路１３内に流入するそれぞれの副流が流出する送風ノズル３７／２および３７／３は、マルチフィラメントヤーンの走行方向（矢印２７）に見て、送風ノズル３７／１の前に配置されている。送風ノズル３７／２および３７／３は、それぞれヤーン通路１３の縁部領域３３の一方に存在する。
【００４５】
図１７に記載されている送風ノズル配置３５の実施例は、送風ノズル３７／２および３７／３の部分開口部断面が楕円形に形成されていることによってのみ、図１６に記載されている実施例と異なっている。送風ノズル３７／１の部分開口部断面を形成する楕円の大きい方の半軸は、縦方向中心軸２６上に存在する。送風ノズル３７／１の部分開口部断面に比較して、それぞれ寸法の小さな部分開口部断面を有する送風ノズル３７／２および３７／３の大きな半軸は、縦方向中心軸２６に対して垂直に延びている。
【００４６】
図１８は、開口部断面が１個の三角形の部分開口部断面と２個の楕円形の部分開口部断面によって形成されている送風ノズル配置３５の実施例を示す。三角形の部分開口部断面を有する送風ノズル３７／１は、部分開口部断面の一方の辺が横軸４１に対して平行であるように、マルチフィラメントヤーンの走行方向（矢印２７）に見て、送風ノズル３７／２および３７／３の前に配置されている。この側を経て、ヤーン通路１３を通して導かれるマルチフィラメントヤーンがまず案内され、その結果、同時に主流と副流対が作用する。
【００４７】
図１９に記載されている送風ノズル配置３５の実施例は、部分開口部断面が楕円形である二つの送風ノズル３７／２および３７／３と、部分開口部断面が中央拡張部６５を備えたＶ字部分を含んでいる。この中央拡張部は、部分開口部断面を拡大する。送風ノズル３７／２および３７／３からは、それぞれ媒体流の副流がヤーン通路１３内に流入するが、これらは、マルチフィラメントヤーンの走行方向に見て、送風ノズル３７／１の前方に配置されており、その結果、まず副流対が作用する。送風ノズル３７／１は、その部分開口部断面においてヤーン通路１３の縁部領域３３に達しているので、主流とほとんど同時に、ふたたび副流対が放流を開始する。送風ノズル３７／１、３７／２および３７／３の部分開口部断面は、共に送風ノズル配置の開口部断面を形成し、ヤーン通路１３の縦方向中心軸に対する対称が維持される。
【００４８】
図３から１９をもととして説明を行った、その開口部断面が鋭角或いは縁部で描写されている送風ノズル配置３５の実施例の場合には、これらの角部が円の半径を備えているが、この半径は、現在では製造技術的な理由から、０．０３ｍｍから０．２０ｍｍの範囲内になっている。
【００４９】
図１６、１７および１９を観察した場合に明らかなように、とりわけヤーン通路１３に流入する媒体流の副流が出て来る送風ノズルは、ヤーン通路１３に流入する媒体流の主流が出て来る送風ノズルの前に配置されている。すなわち、マルチフィラメントヤーンのフィラメントは、まずヤーン通路１３の縁部領域３３内で副流によって捕らえられ、次いで初めてヤーン通路１３の中心領域２９内に流入する主流によってインターレースされる。図１８による実施例の場合には、フィラメントは主流によって捕らえられるが、同時に副流によっても捕らえられるのである。後部に配置されている送風ノズル３７／２および３７／３の副流対は、主流を害うことなしに、副流の作用を強化する。
【００５０】
とりわけ、局部的に見て、主流および副流が同時に作用しないときには、わずかな空気消費量で優れたインターレース結果が達成されることが明らかになっている。
【００５１】
特に図２０による実施例によって、ほとんどあらゆる種類のヤーンの場合に優れた結果が達成されているが、図２１による実施例による場合もそうである。図２０は、縦方向中心軸２６に対して対称的の開口部断面が、送風ノズル３７ｏによって形成された送風ノズル配置３５の実施例の平面図である。送風ノズル３７ｏは、相互に接続されている、想定される二つの部分開口部断面から構成されている。第一の部分開口部断面は、基本的にＣ字形をしており、直接ヤーン通路１３の縁部にまで及んでいる。マルチフィラメントヤーンの走行方向（矢印２７）に見て、この開口部断面の後方には、楕円形の第二の部分開口部断面が配置されていて、ここからのみ、媒体流の主流がヤーン通路１３内に流入する。横軸４１の領域に存在する送風ノズル３７ｏの双方の部分開口部断面の間にある接続領域では、開口部断面の幅は、前方および背後に配置された領域におけるよりも小である。これによって、主流がここでは二つの主流部分流に配分されていて、これらが局部的に（そして有利な実施形態に従って）時間的にも相前後してマルチフィラメントヤーンに作用するのである。図面に記載されていない、今一つの実施形態によれば、媒体流の主流は二つ以上の、それゆえ少なくとも三つの主流部分流に配分されている。「配分」とは、実体的なものとして理解すべきものではなく、例えば図２０に記載されている実施例の場合に実現されているように、とりわけ開口部断面の形態によって行われるものと解すべきである。
【００５２】
ヤーン通路１３を通って縁部領域３３内を通されるフィラメントは、まず送風ノズル３７ｏのＣ字形の部分開口部断面から流出する副流によって、ヤーン通路１３の中央領域２９に導かれ、そこでフィラメントが媒体流の第一の主流によって捕らえられ、且つインターレースさせられる。これによって、フィラメント、或いはマルチフィラメントヤーンの、望み通りの構造付与が可能である。
【００５３】
図２１は、図２０に記載されている送風ノズル配置３５の実施形態の、今一つの変形であって、開口部断面は、二つの送風ノズル３７／１および３７／２によって形成されている。ヤーン通路１３に流入する媒体流の主流が流出する送風ノズル３７／１の部分開口部断面は、円形の断面を持っている。基本的にＣ字形の送風ノズル３７／２は、直接送風ノズル３７／１の前に配置され、ヤーン通路１３の縁部領域３３にまで達している。それゆえ双方の主流は、実体的に互いに切り離されて、すなわち、副流を伴う第一の主流、および第二の主流は、互いに切り離された送風ノズルからヤーン通路１３内に吹き込まれる。これとは反対に、図２０に記載されている送風ノズル３７ｏの場合には、主流および副流は、共に１個の送風ノズルからヤーン通路１３内に流入する。図２０および２１を観察すれば、双方の送風ノズル配置３５の開口部断面が相互に極めて類似していることが明らかである。従って、極めて類似した効果が得られる。
【００５４】
図２２は、破線で記載されたマルチフィラメントヤーン６９が通されるヤーン通路１３の一実施形態の断面図である。ヤーン通路１３内には、開口部断面の変動が可能であり、且つ例えば前述の図３から２１をもととして説明した開口部断面によって形成することが出来る送風ノズル３７が口を開いている。送風ノズル３７は、ヤーン通路１３の縦方向中心軸２６に対して、送風ノズル３７の軸７１とヤーン通路１３の縦方向中心軸２６との間で測定される角度δだけ傾斜している。
【００５５】
第一の実施形態変形によれば、送風ノズル３７は、６０°≦δ≦９０°、とりわけ７５°≦δ≦８７°の範囲内に存在する角度δだけ傾けられている。この様に定義された送風ノズル３７の傾斜によって、インターレース結果に影響を与えることが出来ることが明らかにされている。前述の図３から２１に記載されている送風ノズル配置３５の実施例の場合には、上述のように、角度δは、純粋に例えば９０°だけである。視覚的な変更、それゆえマルチフィラメントヤーンに構造付与を生じさせるためには、δ≦６０°の角度を選定することが特に有利なものとして実証されている。これによって、例えばフィラメントの巻きつきおよびその他の構造を生じさせることが出来る。従って、本発明は、フィラメントヤーンの加工のためにも使用することが出来る。通常は、送風ノズルをマルチフィラメントヤーン６９の走行方向に傾斜させることによって、とりわけ加工されたヤーンおよびヤーンの加工の際に、送風ノズル３７をマルチフィラメントヤーン６９の走行方向に抗して傾斜させる場合よりも、優れたインターレース結果が達成可能であることが明らかになっている。しかし、マルチフィラメントヤーン６９の走行方向に抗して傾斜させた送風ノズル３７によって達成可能なインターレース結果は、多くの場合にその要件を満足させるものであり、その結果として、原則として送風ノズル３７の傾斜は、実際上任意に選択可能である。
【００５６】
例えば図１６から１９をもととして説明したように、複数の送風ノズル３７を有する送風ノズル配置３３の場合には、送風ノズル３７／１、３７／２および３７／３は、ヤーン通路１３の縦方向中心軸２６に対して、さまざまに傾斜させることが出来、それゆえさまざまな角度δを持たせることが出来る。この場合、主流および副流は、互いに相反する方向に作用するが、それでも基本的には同一方向であって、このことは、媒体流の部分流の作用の仕方について、最適な調整を可能にする。
【００５７】
図２３には、インターレース装置の概略の断面をもととして、ヤーン通路１３に流入する媒体流の主流Ｈおよび副流Ｎの作用方法が記載されている。ここに示す実施形態の場合には、主流と副流は実体的には互いに分離されていない。当然のことながら、この機能説明は、実体的に分離された主流および副流に対しては、そのままでは転用することは出来ない。
【００５８】
送風ノズルは、矢印Ｈで示した媒体流の主流が流入し、且つカバー板２５に衝突した際に、それぞれ反対の回転方向を有する二つの部分流の渦に分配される場所である、半円形のヤーン通路の底部の中央領域において口を開いている。この部分流の渦によって、マルチフィラメントヤーンのフィラメントが集中的にインターレースされ、その結果として、強力なインターレース点或いはインターレース結節が形成される。もちろん、この場合には、フィラメントは、すでに上で述べたように、死点空間を形成するヤーン通路１３の縁部領域３３へ投げ飛ばされ、その結果として、インターレース運動は生じない。主流Ｈに対してほぼ同じ方向に向けられてヤーン通路内に流入し、縁部領域３３内に流入する副流Ｎによって、フィラメントが捕らえられ、そしてヤーン通路１３の中央領域２９に戻されるので、その結果として、フィラメントは短時間だけ死点空間領域内に滞留して、直ちに再びインターレース作用を行わせる主空気流に曝される。図２３の左半分からも明らかなように、副空気流Ｎは、開口部断面を通してヤーン通路１３の縁部領域３３の一部だけに到達する。縁部領域３３にどの程度に副空気流Ｎが到達するかに応じて、その作用を変えることが出来る。図３から２１までには、例えば図２３の右半分に相応する縁部領域３３の開口部が表示されている。当然のことながら、副流が流れる縁部領域３３は、図２３の左半分に示すように、カバー２５の下方のヤーン通路１３の外まで、これを延ばすことが出来る。この変形によって、インターレースに、その結節、数量および強度ならびにサイクル数の点で、決定的な形で更なる影響を与えることが出来る。それゆえ、図３から２１は、開口部断面が、ヤーン通路１３の縁部の前で終わるように示してあるときにも、この変形との関係で理解しなければならないのである。
【００５９】
図１から２３に対する説明から、フィラメントヤーンをインターレースさせるために、フィラメントヤーンを処理する方法が生ずる。この方法とは、媒体流を一つの主流と、二つの対の副流とに分配することにあり、主流をヤーン通路の中央領域に、一方の副流をヤーン通路の一方の縁部領域に、そして他方の副流をヤーン通路の他方の縁部領域に、それぞれ導くことにある。主流および副流は、その方向が交叉しないように、基本的には同一方向に向けられている。その場合、媒体流ＨおよびＮの方向が、それぞれ領域２９および３３（図２）の範囲内に存在する限りにおいて、これらの方向が一定の範囲で異なることは許容される。一般には、主流は、双方の副流のいずれと比較しても、それ自体大きな流量を流すものとすべきである。主流に対して副流の量を相応に調整することによって、フィラメントがヤーン通路の縁部領域内に存在する時間が短縮され、その結果、それによってインターレースの結果が有利な影響を受ける。このようにして、インターレースされてない無手当てのヤーン箇所を一定の寸法に縮小することが出来る。結節の数や、その寸法および強度も、適切に変更することが出来る。本来のインターレース運動が行われる中央領域の幅、ならびにインターレース運動が生じない残された縁部領域は、主流によって規定がなされる。
【００６０】
総括するならば、媒体流を複数の副流に分配することによって、インターレース品質の改善を確保することが出来る。同時に、とりわけばらつきのない良好なインターレース結果が得られる場合には、媒体消費量も軽減することが出来、その結果、インターレース作業のコストも節減可能である。媒体流の主流と副流との効果的な協力作業によって、マルチフィラメントヤーンの走行速度の向上、およびそれゆえインターレース装置の生産性の向上が可能である。
【図面の簡単な説明】
【図１】  インターレース装置の一実施例の側面図である。
【図２】  ヤーン通路の概略の平面図である。
【図３】  送風ノズルの断面の形態によって主流と副流が発生される、本発明による送風ノズル配置の第一の実施形態の、それぞれの開口部断面の平面図である。
【図４】  送風ノズルの断面の形態によって主流と副流が発生される、本発明による送風ノズル配置の第一の実施形態の、それぞれの開口部断面の平面図である。
【図５】  送風ノズルの断面の形態によって主流と副流が発生される、本発明による送風ノズル配置の第一の実施形態の、それぞれの開口部断面の平面図である。
【図６】  送風ノズルの断面の形態によって主流と副流が発生される、本発明による送風ノズル配置の第一の実施形態の、それぞれの開口部断面の平面図である。
【図７】  送風ノズルの断面の形態によって主流と副流が発生される、本発明による送風ノズル配置の第一の実施形態の、それぞれの開口部断面の平面図である。
【図８】  送風ノズルの断面の形態によって主流と副流が発生される、本発明による送風ノズル配置の第一の実施形態の、それぞれの開口部断面の平面図である。
【図９】  送風ノズルの断面の形態によって主流と副流が発生される、本発明による送風ノズル配置の第一の実施形態の、それぞれの開口部断面の平面図である。
【図１０】  送風ノズルの断面の形態によって主流と副流が発生される、本発明による送風ノズル配置の第一の実施形態の、それぞれの開口部断面の平面図である。
【図１１】  送風ノズルの断面の形態によって主流と副流が発生される、本発明による送風ノズル配置の第一の実施形態の、それぞれの開口部断面の平面図である。
【図１２】  送風ノズルの断面の形態によって主流と副流が発生される、本発明による送風ノズル配置の第一の実施形態の、それぞれの開口部断面の平面図である。
【図１３】  送風ノズルの断面の形態によって主流と副流が発生される、本発明による送風ノズル配置の第一の実施形態の、それぞれの開口部断面の平面図である。
【図１４】  送風ノズルの断面の形態によって主流と副流が発生される、本発明による送風ノズル配置の第一の実施形態の、それぞれの開口部断面の平面図である。
【図１５】  送風ノズルの断面の形態によって主流と副流が発生される、本発明による送風ノズル配置の第一の実施形態の、それぞれの開口部断面の平面図である。
【図１６】  主流と副流が実質的に区分されている、送風ノズル配置の第一の実施形態の、それぞれの開口部断面の平面図である。
【図１７】  主流と副流が実質的に区分されている、送風ノズル配置の第一の実施形態の、それぞれの開口部断面の平面図である。
【図１８】  主流と副流が実質的に区分されている、送風ノズル配置の第一の実施形態の、それぞれの開口部断面の平面図である。
【図１９】  主流と副流が実質的に区分されている、送風ノズル配置の第一の実施形態の、それぞれの開口部断面の平面図である。
【図２０】  二つの主流を有する送風ノズル配置のさらなる実施形態の、それぞれの開口部断面の平面図である。
【図２１】  二つの主流を有する送風ノズル配置のさらなる実施形態の、それぞれの開口部断面の平面図である。
【図２２】  ヤーン通路の一断面である。
【図２３】  インターレース装置の概略断面図である。
【符号の説明】
１…インターレース装置
３…ケーシング
５…ケーシング部分
７…旋回アーム、旋回軸
９…ヒンジ
１１…取っ手
１３…ヤーン通路
１４…供給配管
１５…湾曲棒
１７…アーム
１９…ヤーンガイド
２１…案内面
２３…カバー
２５…ケーシング部分、カバー、カバー板
２６…縦方向中心軸
２７…矢印
２９…中央領域
３３…縁部領域
３５…送風ノズル配置
３７…開口部断面、送風ノズル
３７ａ…送風ノズル
３７ｂ…送風ノズル
３７ｃ…送風ノズル
３７ｄ…送風ノズル
３７ｅ…送風ノズル
３７ｆ…送風ノズル
３７ｇ…送風ノズル
３７ｈ…送風ノズル
３７ｉ…送風ノズル
３７ｋ…送風ノズル
３７ｌ…送風ノズル
３７ｍ…送風ノズル
３７ｎ…送風ノズル
３７／１、３７／２、３７／３…送風ノズル
４１…横軸
４５…中央噴射部
４７、４７′…横方向腕木
４９、４９′…横方向腕木
５１、５１′、５１″…尖端部
５３…尖端部
５５…尖端部
５７…横方向腕木
５９…縦方向腕木
６１…補強部
６５…中央拡張部
６９…マルチフィラメントヤーン
７１…噴出ノズル３７の軸
Ｈ…主流、主空気流
Ｎ…副流、副空気流
【図１】
0003656954.tif 000002
【図２】
0003656954.tif 000003
【図３】
0003656954.tif 000004
【図４】
0003656954.tif 000005
【図５】
0003656954.tif 000006
【図６】
0003656954.tif 000007
【図７】
0003656954.tif 000008
【図８】
0003656954.tif 000009
【図９】
0003656954.tif 000010
【図１０】
0003656954.tif 000011
【図１１】
0003656954.tif 000012
【図１２】
0003656954.tif 000013
【図１３】
0003656954.tif 000014
【図１４】
0003656954.tif 000015
【図１５】
0003656954.tif 000016
【図１６】
0003656954.tif 000017
【図１７】
0003656954.tif 000018
【図１８】
0003656954.tif 000019
【図１９】
0003656954.tif 000020
【図２０】
0003656954.tif 000021
【図２１】
0003656954.tif 000022
【図２２】
0003656954.tif 000023
【図２３】
0003656954.tif 000024